(57)【要約】  投影映像の外観を最適化する方法。その方法は、第１の種類の投影映像のための複数のプリセットされた投影装置設定を有する第１のコンフィギュレーションを提供すること、第２の種類の投影映像のための複数のプリセットされた投影装置設定を有する第２のコンフィギュレーションを提供することを含んでいる。その方法は、前記第１のコンフィギュレーションおよび前記第２のコンフィギュレーションのうちの１つを選択すること、前記第１のコンフィギュレーションおよび前記第２のコンフィギュレーションのうちの１つの選択に応じて、対応する複数のプリセットされた投影装置設定を自動的に調整することをさらに含んでいる。【選択図】      図２
2007516645.tif 000002
【特許請求の範囲】
【請求項１】
投影映像の外観を最適化する方法であって、
第１の種類の投影映像のための複数のプリセットされた投影装置設定を有する第１のコンフィギュレーションを提供すること、
第２の種類の投影映像のための複数のプリセットされた投影装置設定を有する第２のコンフィギュレーションを提供すること、
前記第１のコンフィギュレーションおよび前記第２のコンフィギュレーションのうちの１つを選択すること、
前記第１のコンフィギュレーションおよび前記第２のコンフィギュレーションのうちの１つの選択に応じて、対応する複数のプリセットされた投影装置設定を自動的に調整することを含む方法。
【請求項２】
前記第１のコンフィギュレーションおよび前記第２のコンフィギュレーションの少なくとも１つは、製造業者に定義されたコンフィギュレーションである請求項１記載の方法。
【請求項３】
前記製造業者に定義されたコンフィギュレーションは、プレゼンテーション・コンフィギュレーション、写真コンフィギュレーション、フィルム・コンフィギュレーション、およびビデオ・コンフィギュレーションのうちの１つである請求項２記載の方法。
【請求項４】
前記第１のコンフィギュレーションおよび前記第２のコンフィギュレーションの少なくとも１つは、ユーザに定義されたコンフィギュレーションである請求項１記載の方法。
【請求項５】
前記ユーザに定義されたコンフィギュレーションは、ユーザに調整された少なくとも１つの投影装置設定を含んでいる請求項４記載の方法。
【請求項６】
前記第２のコンフィギュレーションの提供は、少なくとも１つの投影装置設定の選択を受信し、該少なくとも１つの投影装置設定の選択を第２のコンフィギュレーションとして保存することを含んでいる請求項１記載の方法。
【請求項７】
前記第１のコンフィギュレーションおよび前記第２のコンフィギュレーションの少なくとも１つは、前記プリセットされた設定の各々がデフォルト設定である場合、デフォルト・コンフィギュレーションである請求項１記載の方法。
【請求項８】
第１の種類の投影映像のための複数のプリセットされた投影装置設定を有し、メモリに記憶された第１のユーザ選択可能なコンフィギュレーションと、
第２の種類の投影映像のための複数のプリセットされた投影装置設定を有し、メモリに記憶された第２のユーザ選択可能なコンフィギュレーションと、
前記メモリに接続され、前記第１のコンフィギュレーションおよび前記第２のコンフィギュレーションのうちの１つの選択に応じて、対応する複数のプリセットされた投影装置設定を自動的に調整するプロセッサとを備える投影装置。
【請求項９】
前記第１のコンフィギュレーションおよび前記第２のコンフィギュレーションの少なくとも１つは、製造業者に定義されたコンフィギュレーションである請求項８記載の投影装置。
【請求項１０】
前記製造業者に定義されたコンフィギュレーションは、プレゼンテーション用に最適化された設定を備えたプレゼンテーション・コンフィギュレーション、写真用に最適化された設定を備えた写真コンフィギュレーション、フィルム用に最適化された設定を備えたフィルム・コンフィギュレーション、およびビデオ用に最適化された設定を備えたビデオ・コンフィギュレーションのうちの１つである請求項９記載の投影装置。
【請求項１１】
前記第１のコンフィギュレーションおよび前記第２のコンフィギュレーションの少なくとも１つは、ユーザに定義されたコンフィギュレーションである請求項８記載の投影装置。
【請求項１２】
前記第１のユーザ選択可能なコンフィギュレーションおよび前記第２のユーザ選択可能なコンフィギュレーションの少なくとも１つは、ユーザによって調整された少なくとも１つの設定を含んでいる請求項８記載の投影装置。
【請求項１３】
投影装置の複数の調整可能な特徴のための設定を同時に調整する方法であって、
複数の調整可能な設定を提示すること、
第１のコンフィギュレーションを生成するために一または複数の調整可能な設定を調整すること、
ユーザ入力の起動に際して前記調整可能な設定が前記第１のコンフィギュレーションに従って調整されるように、前記第１のコンフィギュレーションを保存することを含む方法。
【請求項１４】
前記第１のコンフィギュレーションからの設定のいくつかまたはすべてを変更することによって、第２のコンフィギュレーションを生成することをさらに含む請求項１３記載の方法。
【請求項１５】
前記ユーザ入力の繰り返しの起動が前記調整可能な特徴を前記第１のコンフィギュレーションと前記第２のコンフィギュレーションとの間で切り換えさせるように、前記第２のコンフィギュレーションを保存するステップをさらに含む請求項１４記載の方法。
【請求項１６】
前記調整可能な設定は、メニューを介して提示される請求項１３記載の方法。
【請求項１７】
複数の調整可能な設定と、
該調整可能な設定の一または複数の値を変更する手段と、
変更された前記調整可能な設定の一または複数の値を第１のコンフィギュレーションとして保存する手段と、
前記第１のコンフィギュレーションを採用するために前記調整可能な特徴の設定を同時に変更する手段とを備える投影装置。
【請求項１８】
前記調整可能な特徴の一または複数の設定を前記第１のコンフィギュレーションから第２のコンフィギュレーションへ変更する手段をさらに備える請求項１７記載の投影装置。
【請求項１９】
投影装置用のカスタマイズされた設定にアクセスする方法であって、
複数の第１の投影装置設定を選択すること、
前記複数の設定を第１のコンフィギュレーションとして保存すること、
ユーザ入力を作動させることによって前記第１のコンフィギュレーションにアクセスすることを含む方法。
【請求項２０】
複数の第２の投影装置設定を選択すること、
前記複数の設定を第２のコンフィギュレーションとして保存すること、
前記ユーザ入力を作動させることによって前記第２のコンフィギュレーションにアクセスすることをさらに含む請求項１９記載の方法。
【請求項２１】
前記ユーザ入力は、ボタンである請求項１９記載の方法。
【請求項２２】
投影映像の外観を最適化する方法を実行する機械によって実行可能な指示のプログラムを明確に具現化し、前記機械によって読み取り可能なプログラム格納装置であって、前記方法が、
第１の種類の投影映像のための複数のプリセットされた投影装置設定を有する第１のコンフィギュレーションを提供すること、
第２の種類の投影映像のための複数のプリセットされた投影装置設定を有する第２のコンフィギュレーションを提供すること、
前記第１のコンフィギュレーションおよび前記第２のコンフィギュレーションのうちの１つの選択に応じて、対応する複数のプリセットされた投影装置設定を調整することを含む装置。
【発明の詳細な説明】
【技術分野】
【０００１】
本発明は、概して投影装置に関する。特に、本発明は、投影映像の外観を最適化するユーザ入力に関する。
【背景技術】
【０００２】
投影装置は、ビデオソース、コンピュータ、パーソナル・データ・アシスタント（PDA）、カメラ、ビデオ映像化装置などを含む多くの異なるソースからの入力を受信することが可能である。ビデオ映像、写真、プレゼンテーション、文書、フィルムなどを含む、これらのソースからの映像は、投影装置によって投影映像として投影されることが可能であるが、これに限定されるものではない。投影映像の外観の最適化は、多くの投影装置設定の調整を要求することがある。ユーザが一または複数のメニュー・システムを介して個々の設定にアクセスすること、および／または投影装置に対する手動調整をすることを要求されることがあるので、映像の種類および映像ソースに依存して投影映像を最適化するための投影装置の調整は、難しかったり、時間が掛かったりすることがある。
【０００３】
第１の予め定義されたコンフィギュレーションから第２の予め定義されたコンフィギュレーションへの速く容易な切り換えをユーザに許可する、容易にアクセス可能なユーザ入力をユーザに提供することは望ましいことであろう。同様に、予め定義された設定コンフィギュレーションの一または複数をユーザがカスタマイズすることを可能にすることは望ましいことであろう。
【発明の開示】
【０００４】
投影映像の外観を最適化する方法である。その方法は、第１の種類の投影映像のための複数のプリセットされた投影装置設定を有する第１のコンフィギュレーションを提供すること、第２の種類の投影映像のための複数のプリセットされた投影装置設定を有する第２のコンフィギュレーションを提供することを含んでいる。その方法は、さらに、前記第１のコンフィギュレーションおよび前記第２のコンフィギュレーションのうちの１つを選択すること、前記第１のコンフィギュレーションおよび前記第２のコンフィギュレーションのうちの１つの選択に応じて、対応する複数のプリセットされた投影装置設定を自動的に調整することを含んでいる。
【発明を実施するための最良の形態】
【０００５】
図１は、複数のユーザ入力12を具備した投影装置10を示している。ここで使用されるように、投影または映像生成装置は、デジタル・プロジュクタ、液晶（LCD）プロジュクタ、デジタル光処理（Digital Light Processing:登録商標）プロジュクタなど含む任意の適切な表示装置あるいは映像プロジェクタを含むことが可能であるが、これらに限定されるものではない。
【０００６】
ユーザ入力12は、典型的には、ユーザが投影装置をオンおよびオフすることを可能にしたり、様々な設定を変更および／または選択したり、メニュー・システムをナビゲートしたりすることによって、ユーザによって投影装置を操作することが可能なように構成される。ユーザ入力は、図１に示されるように、投影装置の本体に位置することが可能である。これに代えて、あるいは、これに加えて、ユーザ入力は、遠隔に（つまり、遠隔制御装置、ポータブル演算装置上などに）位置することが可能である。
【０００７】
本発明の実施の形態にかかる投影装置の簡略化されたブロック図は、図１において破線で示されている。投影装置は、そのほとんどの基本態様で、プロセッサ11とメモリ13とを備えている。上述したプロセッサおよびメモリが、投影装置上に常に存在するものとして示されているが、コンピュータ、ポータブル・コンピューター、ポータブル・データ・アシスタント、サーバ、カメラ、制御装置などの接続された演算装置上に常に存在するものであってもよいことが認識されるべきである。
【０００８】
プロセッサ11は、中央処理装置（CPU）、あるいは投影装置の操作を制御する他の適切なコントローラの形態をなしていることが可能である。したがって、プロセッサ11は、投影装置の操作および機能を管理するように構成されることが可能である。たとえば、プロセッサ11は、操作プログラム、メニュー・プログラム、ユーザ・インターフェース・プログラムなどを管理することが可能である。
【０００９】
メモリ13は、揮発性メモリと不揮発性メモリとの両方を含むことが可能である。不揮発性メモリは、永久的あるいは半永久的なデータを記憶するために利用されることが可能である。そのような不揮発性メモリは、ROM、PROM、EPROM、EEPROM、およびフラッシュ・メモリ、ならびにそれらの組み合せを含む任意の適切な種類の不揮発性メモリであることが可能であるが、これらに限定されるものではない。揮発性メモリは、映像および指示を含む一時的なデータを記憶するために利用されることが可能である。揮発性メモリは、SRAMまたはDRAMのような一または複数の適切な種類の揮発性メモリを含むことが可能である。
【００１０】
より詳細に下に記述されるように、投影装置10のメモリ13は、一または複数のユーザに選択された投影装置コンフィギュレーション、あるいは製造業者に選択された投影装置コンフィギュレーションを記憶するように構成されることが可能である。各投影装置コンフィギュレーション（あるいは、複数のコンフィギュレーション）は、ここで使用されるように、典型的には複数のプリセットされた投影装置設定を含んでいる。選択されたコンフィギュレーションは、特定の種類の投影映像のための投影装置設定を最適化することが可能である。最適化は、ここで使用されるように、客観的なまたは主観的な最適化であることが可能である。たとえば、プレゼンテーション・コンフィギュレーションは、プレゼンテーションの表示を最適化するプリセットされた投影装置設定を含むことが可能である。同様に、たとえば、写真コンフィギュレーションは、写真の表示を最適化する設定を含むことが可能であり、フィルム・コンフィギュレーションは、フィルムの表示を最適化する設定を含むことが可能であり、ビデオ・コンフィギュレーションは、ビデオの表示を最適化する設定を含むことが可能である。さらに、ユーザは、ユーザ用にカスタマイズされた設定を備えたコンフィギュレーションを生成することが可能であり、そのようなカスタマイズされた設定は、ユーザの要望に対して投影映像を最適化したと理解されることが可能である。
【００１１】
ユーザは、記憶されたコンフィギュレーションのうちの任意の１つにプロセッサ11を介してアクセスすることが可能である。特定のコンフィギュレーションの選択に際して、プロセッサは、選択されたコンフィギュレーションに従って、関連するプリセットされた投影装置設定に、投影装置設定を自動的に調整することが可能である。したがって、ユーザは、望むように異なるコンフィギュレーション間で容易に切り換えることが可能である。さらに、ユーザは、映像ソースが変更されるときに、個々の設定を手動で調整する必要はない。
【００１２】
上述したように、投影装置10は、典型的には、コンフィギュレーションを生成するために他の設定と共に選択され、プリセットされることが可能な複数の投影装置設定を含んでいる。そのような設定の例は、より詳しく下に記述されるであろう。これらの例が例示の目的であって限定される意図がないことは認識されるべきである。したがって、異なる設定および／または設定の組み合せは、本発明の範囲を逸脱せずに投影装置に含まれることが可能である。この設定によって、ユーザは、投影映像の種類に、および／またはニーズに、またはユーザの要望に、より良く適合させるために、投影装置のパラメータを変更することができる。
【００１３】
投影装置に含まれることが可能な調整可能な設定または特徴の例は、キーストーン、コントラスト、明るさ、色あい、濃淡、アスペクト比、シャープネス、色空間、色温度、オーバースキャン、位相、トラッキング、水平位置、および垂直位置を含んでいる。投影装置10が、本願に記述されている調整可能な設定のうちのいくつかを含む、あるいはいずれも含まない、あるいはすべてを含むことが可能であり、ここに記述されていない付加的なあるいは代替の設定を含むことが可能であることが認識されるであろう。
【００１４】
上述したように、投影装置10は、調整可能なキーストーン設定を含むことが可能である。典型的には、キーストーン設定は、表示面上への投影装置からの投射角の結果として斜めになる映像を補正するために変更されるものである。たとえば、映像が、表示スクリーン、壁、または他の投影面上に投影されるときに、投影映像は、最上部でより広く、最下部でより狭く見える場合がある。キーストーン設定の変更によって、ユーザは、より正確にオリジナル映像に似せるために投影映像を調整することができる。
【００１５】
１つの実施の形態においては、ユーザは、（たとえば）1から100の間でキーストーン番号を選択することによってキーストーンの所望するレベルを選択することが可能である。そのような実施の形態においては、キーストーン番号を減少させるということは、映像の最下部の幅を漸減させることであってもよい。一方、キーストーン番号を増加させることは、映像の最上部の幅を漸減させることであってもよい。
【００１６】
投影装置10は、さらに、調整可能なコントラスト設定を含むことが可能である。コントラスト設定の変更は、典型的には、投影映像の最も明るい部分と最も暗い部分との間の差の程度についての調整に帰着し、それによって、投影映像中の白黒の量を変更するものである。１つの実施の形態においては、ユーザは、（たとえば）1から100の間で選択可能なコントラスト番号を提供されることが可能である。コントラスト番号を増加させることは、コントラストの程度を漸減させることであってもよい。一方、コントラスト番号を減少させることは、コントラストの程度を漸増させることであってもよい。
【００１７】
投影映像に影響するために使用されることが可能な別の調整可能な設定は、明るさ設定である。明るさ設定の変更は、典型的には、投影映像の強度を変更するものである。１つの実施の形態においては、ユーザは、たとえば1から100の間で選択可能な明るさ番号を提供されることが可能である。明るさ番号を減少させることは、投影映像の強度を漸減させることであってもよい。一方、明るさ番号を増加させることは、投影映像の強度を漸増させることであってもよい。
【００１８】
同様に、投影映像に影響するために使用されることが可能な別の調整可能な設定は、色あい設定である。色あい設定の変更は、典型的には、ビデオ映像のような投影映像を白黒から完全に鮮明な色に調整するものである。１つの実施の形態においては、ユーザは、（たとえば）1から100の間で選択可能な彩度番号を提供されることが可能である。彩度番号を減少させることは、投影映像の彩度の程度を該投影映像が全体的に白黒になるまで漸減させることであってもよい。一方、彩度番号を増加させることは、投影映像の彩度の程度を該投影映像が完全にカラーになるまで漸増させることであってもよい。
【００１９】
別の典型的な設定は、濃淡設定である。濃淡設定の変更は、典型的には、投影映像中の赤／縁のバランスを調整するものである。１つの実施の形態においては、ユーザは、たとえば1から100の間で選択可能な濃淡番号を提供されることが可能である。濃淡番号を減少させることは、赤／縁の色バランスを赤の方へ徐々に調整することであってもよい。一方、濃淡番号を増加させることは、赤／縁の色バランスを緑の方へ徐々に調整することであってもよい。
【００２０】
ユーザは、さらに、投影映像のアスペクト比を調整することが可能である。投影映像のアスペクト比の変更は、典型的には、投影映像の高さに対する該投影映像の幅の比を変更するものである。１つの実施の形態においては、ユーザは、選択すべきいくつかのアスペクト比を提供されることが可能である。これらの比は、映像または映像ソースの種類に特有なものであることが可能である。たとえば、ユーザは、テレビ画面用の標準アスペクト比である4:3、あるいはハイビジョン（HDTV）用およびほとんどのデジタル・バーサタイル・ディスク（DVD）の標準アスペクト比である16:9を選択することが可能であるが、これらに限定されるものではない。
【００２１】
さらに、投影映像のシャープネスが調整可能である。シャープネス設定の変更は、典型的には、投影映像の縁部の明瞭さを変更するものである。１つの実施の形態においては、ユーザは、最もシャープ、よりシャープ、標準、よりソフト、最もソフトのようにシャープネスのレベルに関するいくつかのオプションを提供されることが可能である。
【００２２】
ある実施の形態においては、ユーザは、色度標準を選択または調整することが可能である。たとえば、色空間設定は、ユーザが自動モードまたは手動モードから選択することを可能にするものであってもよい。自動モードでは、投影装置は、入力ソースのための色度標準を自動的に決定する。手動モードでは、ユーザが希望のカラー設定を選択する。選択可能なオプションは、RGB、REC 709またはREC 601のような様々な異なる色度標準設定を含むことが可能である。
【００２３】
ユーザは、さらに、色温度を選択あるいは調整することが可能である。色温度設定は、典型的には、ユーザが投影映像中の色の強度を変更することを可能にする。ある実施の形態においては、ユーザは、選択すべき様々なオプションを提供されることが可能である。これらのオプションは、6500K、7200Kおよび9300Kを含むことが可能である。これに代えて、あるいは、これに加えて、ユーザは、赤色、緑色、および青色の各々の強度を赤、緑、または青のグレイン番号を1〜100までスケールで選択することによって調整することが可能である。
【００２４】
ビデオ規格設定は、ユーザが様々なビデオ規格から選択することを可能にするために提供されることが可能である。利用可能なビデオ規格は、たとえば、全国テレビジョン方式委員会（NTSC：National Television System Committee）、PAL（Phase Alternating Line）、またはSECAM（Sequential Couleur Avec Memoire or Sequential Color with Memory）を含むことが可能である。
【００２５】
利用可能な別の調整可能な設定は、オーバースキャン設定である。オーバースキャン設定の調整は、典型的には、ビデオ映像の周囲のノイズを除去するものである。ある実施の形態においては、これは、選択的にオンあるいはオフされることができる設定として提供されることが可能である。
【００２６】
別の利用可能な設定は、位相設定である。位相設定の変更は、典型的には、コンピュータ・ソース映像の水平位相の調整に帰着する。１つの実施の形態においては、ユーザは、たとえば1から100の間で選択可能な位相番号を提供されることが可能である。位相番号を減少させることは、コンピュータ・ソースの水平位相を漸減させることであってもよい。一方、その番号を増加させることは、コンピュータ・ソースの水平位相を漸増させることであってもよい。
【００２７】
同様に、トラッキング設定の変更は、コンピュータ・ソース映像の垂直走査を調整する。１つの実施の形態においては、ユーザは、たとえば1から100の間で選択可能なトラッキング番号を提供されることが可能である。トラッキング番号を減少させることは、コンピュータ・ソースの垂直走査を漸減させることであってもよい。一方、その番号を増加させることは、コンピュータ・ソースの垂直走査を漸増させることであってもよい。
【００２８】
水平位置設定は、ユーザが投影映像の水平位置を調整することを可能にする。１つの実施の形態においては、ユーザは、たとえば1から100の間で選択可能な水平位置番号を提供されることが可能である。たとえば、水平位置番号を減少させることは、表示面の最下部へ投影映像を徐々に移動させることであってもよい。一方、水平位置番号を増加させることは、表示面の最上部へ投影映像を徐々に移動させることであってもよい。
【００２９】
同様に、垂直位置設定は、ユーザが投影映像の垂直位置を調整することを可能にする。１つの実施の形態においては、ユーザは、たとえば1から100の間で選択可能な垂直位置番号を提供されることが可能である。たとえば、垂直位置番号を減少させることは、表示面の左側へ投影映像を徐々に移動させることであってもよい。一方、垂直位置番号を増加させることは、表示面の右側へ投影映像を移動させることであってもよい。
【００３０】
ある実施の形態においては、投影装置は、バランスおよび音量レベル含む様々な調整可能な音声設定をさらに含むことが可能であるが、これらに限定されるものではない。さらに、ユーザは、可聴式の注意喚起あるいは合図のような音声設定をオン／オフすることが可能である。
【００３１】
すべての設定がすべての条件下で利用可能であるとは限らないことが認識されるであろう。たとえば、シャープネスおよびオーバースキャンの設定は、ビデオソースにのみ適用可能である一方、色空間および色温度の特徴は、ビデオおよびコンピュータ・ソースの両方に利用可能である。
【００３２】
調整可能な設定のうちのいくつかまたはすべてが、ボタン、ノブ、ダイヤルなどのような一連のユーザ入力を介してユーザに提示されることが可能であることが認識されるであろう。それから、これらのユーザ入力は、所望の結果を達成するために手動で調整されることが可能である。
【００３３】
これに代えて、あるいは、これに加えて、ユーザ入力は、選択可能なメニューの形態をなしていることが可能である。上述したように、投影装置は、アプリケーション・プログラムを実行するように構成されたプロセッサまたは処理装置を備えることが可能である。アプリケーション・プログラムは、メニュー・カスケードのようなユーザ・インターフェースをユーザに提示するように構成されることが可能である。それから、ユーザは、メニュー・カスケードへのアクセスおよびナビゲートによって調整可能な特徴のための設定を調整することが可能である。典型的なメニュー・カスケードは、メニュー・ナビゲーション方法というタイトルを付けられたフィリップ・Ｈ・サルバトーリらの2003年5月14日に出願された同時係属中の米国特許出願第10/439,008号に記述されており、その開示全体は、すべての目的のために参照によってこここに援用される。
【００３４】
ユーザ・インターフェースは、投影装置によって表示面に投影される映像としてユーザに見られることが可能である。これに代えて、ユーザは、個別のディスプレイ上にユーザ・インターフェースを見ることも可能である。たとえば、ユーザは、投影装置用のユーザ・インターフェースというタイトルを付けられたフィリップ・Ｈ・サルバトーリらの2003年5月14日に出願された同時係属中の米国特許出願第10/438,612号に記述されたもののように、ディスプレイ上にユーザ・インターフェースを見ることが可能であり、その開示全体は、すべての目的のために参照によってここに援用される。
【００３５】
図２は、図１の投影装置との使用に適切であり得る典型的なユーザ入力レイアウト14を示している。ユーザ入力レイアウトは、電源ボタン16、プリセット（あるいは、複数のプリセット）ボタン18、自動映像ボタン20、キーストーン設定ボタン22および24、メニュー・ボタン26、ナビゲーション・ボタン28および30、選択ボタン32、音量設定ボタン34および36、ビデオ・ボタン38、およびコンピュータ・ボタン40のうちの一または複数のユーザ入力を含むことが可能であるが、これらに限定されるものではない。
【００３６】
電源ボタン16は、典型的には、投影装置10をオン／オフするために使用される。表示灯42は、投影装置がオンかオフかをユーザが光を見ることによって判断するために、電源ボタン16の近傍に位置することが可能である。
【００３７】
より詳細に下に記述されるように、ユーザは、プリセット・ボタン18によって複数のプリセット設定からなる希望のコンフィギュレーションを選択することが可能である。プリセット・ボタンによってユーザは希望のコンフィギュレーション、したがって複数の設定を選択することが可能であり、個々の設定を手動で選択したり調整したりする必要がない。
【００３８】
プリセット・ボタン18は、ユーザが多くの予め定義された設定コンフィギュレーションを繰り返すことを可能にすることが可能である。したがって、単一のプリセット・ボタンは、ユーザが、単一のプリセット・ボタンを繰り返し作動させることによって様々なコンフィギュレーション間で切り換えることを可能にするために使用されてもよい。さらに、プリセット・ボタンは、ユーザをメニューにリンクすることが可能である。プリセット・ボタンでは、それによってユーザが多くの異なるコンフィギュレーションからそのうちの任意の１つを選択することが可能である。
【００３９】
ある実施の形態においては、投影装置10が複数のプリセット・ボタンを含むことが可能であることが認識されるであろう。たとえば、投影装置10は、いくつかのプリセット・ボタン18a，18b，18cを含むことが可能であり、各ボタンは、特定の設定コンフィギュレーションに関連付けられている。たとえば、18aで示されたプリセット・ボタン1は、プリセット設定の第１のセットを備えた第１のコンフィギュレーションの選択を可能にする。同様に、18bで示されたプリセット・ボタン2は、プリセット設定の第２のセットを備えた第２のコンフィギュレーションの選択を可能にする。同様に、18cで示されたプリセット・ボタン3は、プリセット設定の第３のセットを備えた第３のコンフィギュレーションの選択を可能にする。コンフィギュレーションは、プレゼンテーション用に最適化された設定を備えたプレゼンテーション・コンフィギュレーション、写真用に最適化された設定を備えた写真コンフィギュレーション、フィルム用に最適化された設定を備えたフィルム・コンフィギュレーション、ビデオ用に最適化された設定を備えたビデオ・コンフィギュレーション、およびユーザによって選択された設定を備えたユーザ定義のコンフィギュレーションを含む任意の予め選択された（製造業者またはユーザ）コンフィギュレーションであることが可能であるが、これらに限定されるものではない。たとえば、プリセット・ボタン1は、プレゼンテーション・コンフィギュレーションとして設定されることが可能であり、プリセット・ボタン2は、フィルム・コンフィギュレーションとして設定されることが可能であり、また、プリセット・ボタン3は、ユーザ定義のコンフィギュレーションとして設定されることが可能である。
【００４０】
図２には３つのプリセット・コンフィギュレーションだけが示されているが、任意の数のコンフィギュレーション、コンフィギュレーション・ボタンなどがあることは認識されるべきである。
【００４１】
他のコントロールは、ユーザ入力レイアウト14上に存在することが可能である。たとえば、自動映像ボタン20が提供されることが可能である。自動映像ボタンは、投影装置を映像ソースにリセットするために使用されることが可能である。
【００４２】
キーストーン設定もまた、ある実施の形態において提供されることが可能である。キーストーン設定ボタン22および24は、典型的には、ユーザが投影映像の直角度を調整することを可能にする。上述したように、映像は、表示面に投影されたときに歪められたように見えることがある。キーストーン設定ボタン22および24の作動は、ユーザが任意のそのような歪みを補正することを可能にする。
【００４３】
上述したように、投影装置10は、メニュー・システムを介してユーザと通信するように構成されることが可能である。メニューボタン26は、ユーザがメニュー・システムにアクセスすることを可能にする。適切なメニュー・システムは、メニュー・ナビゲーション方法というタイトルを付けられたフィリップ・Ｈ・サルバトーリらの2003年5月14日に出願された同時係属中の米国特許出願第10/439,008号に記述されており、その開示は上記の参照によって援用される。
【００４４】
ナビゲーション・ボタン28および30は、ユーザ入力レイアウト14上に提供されることが可能である。そのようなナビゲーション・ボタンは、ユーザがメニュー中の設定をナビゲートおよび調整することを可能にする。さらに、ユーザは、選択ボタン32によって希望の設定の選択を確認することが可能である。
【００４５】
音量設定ボタンも提供されることが可能である。ユーザは、音量設定ボタン34および36によって音量を調整することが可能である。ビデオ入力ボタン38は、ユーザがアクティブなビデオソースの変更を可能にすることが可能である一方、コンピュータの入力装置ボタン40は、ユーザがアクティブなコンピュータ・ソースを変更することを可能にする。
【００４６】
示されるように、上記ボタンの各々は、ボタンの機能に関する表示を含むか、あるいは表示することが可能である。さらに、ボタンは、機能と使い易さとに応じた形状とされ、および／または機能と使い易さとに応じてグループ化されることが可能である。たとえば、図２に示された実施の形態において、ボタンは、セットアップ、メニュー・ナビゲーション、およびプレゼンテーションのような３つの使用情況のカテゴリに分類される。そのようなグループ化は、映像にアクセスし、映像を投影し、投影装置を操作する際の使い易さを提供することが可能である。上記ユーザ入力のうち、セットアップ・カテゴリは、たとえば、自動映像ボタン20、プリセット・ボタン18、キーストーン・ボタン22および24を含むことが可能である。メニュー・ナビゲーション・カテゴリは、たとえば、メニューボタン26、メニュー・ナビゲーション・ボタン28および30、ならびに選択ボタン32を含むことが可能である。プレゼンテーション・カテゴリは、たとえば、音量設定ボタン34および36、ビデオボタン38、およびコンピュータ・ボタン40を含むことが可能である。
【００４７】
上述したように、ユーザは、プリセット・キー18によって多くの予め定義された設定コンフィギュレーションを繰り返すことが可能である。たとえば、特定の投影装置は、プレゼンテーション・ソース、写真ソース、フィルム・カメラのようなフィルム・イメージ・ソース、ビデオ・カメラのようなビデオ映像ソース、およびオーディオ・ソースを含む、様々な入力ソースのための投影装置設定を最適化するコンフィギュレーションを含むことが可能であるが、これらに限定されるものではない。これらの異なるソースの各々が異なる種類の映像（つまり、デジタル、アナログ、高解像度、低解像度など）を示すので、 コンフィギュレーションとしてこれらのソース用の設定を調整および保存することは、ユーザに各ソースの設定を絶えず再調整することを要求せずに、投影映像の最適化を可能にさせる。
【００４８】
本発明の１つの実施の形態によれば、投影装置は、製造業者に定義されたコンフィギュレーションおよび／またはデフォルト・コンフィギュレーションを予めロードされることが可能である。製造業者に定義されたコンフィギュレーションおよび／またはデフォルト・コンフィギュレーションは、プリセット・キーを介してアクセス可能であってもよい。これに加えて、ある実施の形態においては、ユーザは、ユーザに選択された設定にカスタマイズされたコンフィギュレーションを生成することが可能である。たとえば、ユーザは、出発点として製造業者に定義されたコンフィギュレーションのうちの１つを使用し、次に、これもプリセット・キーを介してアクセス可能であり得るユーザ定義のコンフィギュレーションを生成するために、所望のように、様々な設定を調整することが可能である。同様に、カスタマイズされたコンフィギュレーションの生成におけるユーザは、出発点として製造業者コンフィギュレーション内のデフォルト設定を使用し、次に、一または複数のユーザ定義のコンフィギュレーションを生成するために望まれるように、様々な設定を調整することが可能である。それはプリセット・キーによってアクセス可能ことが可能である。さらに、ある実施の形態においては、付加的な構成（プリセット設定を備えた）は、投影装置、あるいは接続された制御装置にロードされることが可能である。
【００４９】
例示の目的のために、（製造業者に定義されたか、あるいはユーザに定義された）第１のコンフィギュレーションは、1から100までのスケールで50へのキーストーン、コントラスト、明るさ、色あい、濃淡、位相、トラッキング、水平位置および垂直位置の設定、4:3へのアスペクト比設定、標準へのシャープネス設定、RGBへの色空間設定、9300Kへに色温度設定、NTSCへのビデオ標準設定、またオフへのオーバースキャン設定を含むことが可能である。第１のコンフィギュレーションの選択は、上記のプリセット設定への自動調整に帰着する。
【００５０】
上記の例を継続して、ユーザは、一または複数のプリセット設定を修正することによって第１のコンフィギュレーションを修正することが可能である。たとえば、ユーザは、コントラスト設定が40に調整され、明るさ設定が70に調整され、そして、濃淡設定が30に調整されるときに、投影映像が「より低い品質」の映像のために向上させられたことに気付くかも知れない。その後、ユーザは、第２の（ユーザに定義された）コンフィギュレーションとしてこれらの設定を保存することが可能である。第２のコンフィギュレーションの後の選択は、変更された設定への自動調整に帰着する。したがって、「より低い品質」の映像が表示されるたびに、コントラスト、明るさ、および濃淡設定を手動で調整しなければならない代わりに、ユーザは、速く且つ容易にプリセット・ボタン20を作動させ、必要とされるか、あるいは、所望のように、第１のコンフィギュレーションから第２のコンフィギュレーションへ切り換えることができる。もちろん、より低い品質を補正するためにコンフィギュレーションが単独で変更される必要はないが、より高いあるいはより低い品質、異なるソース、明瞭さ、および／または美的感覚を含むがこれらに限定されることはない任意の理由のために調整されることが可能であることは認識されるであろう。
【００５１】
図３は、ユーザがプリセット・コンフィギュレーションにアクセスし、且つそのコンフィギュレーションを随意的にカスタマイズおよび／また選択するときに、ユーザが遭遇することがある典型的なメニュー・カスケード43を示している。メニュー44は、キーストーン設定46、コントラスト設定48、明るさ設定50、色あい設定52、濃淡設定54、アスペクト比設定56、プリセット設定58、および高度な設定60を含む様々な変更可能な設定を提示する。
【００５２】
プリセット・メニュー62にアクセスする際、ユーザは、プレゼンテーション・コンフィギュレーション64、写真コンフィギュレーション66、フィルム・コンフィギュレーション68、およびビデオ・コンフィギュレーション70を含む製造業者に定義されたコンフィギュレーションのリストが提供される。示されるように、プリセット・メニュー62は、さらに、72，74，および76で示されたもののようなユーザ定義可能なコンフィギュレーションを含むことが可能である。投影装置10が図３に示されるものよりも少ないあるいは多い数の製造業者に定義されたコンフィギュレーション、および図３に示されるものよりも少ないあるいは多い数のユーザ定義可能なコンフィギュレーションを含むことが可能であることが認識されるであろう。
【００５３】
１つの実施の形態において、もしユーザが製造業者に定義されたコンフィギュレーションあるいは以前に設定されたユーザ・コンフィギュレーションを変更することを望むならば、ユーザは、望むように設定を調整し、それから、メニュー80にアクセスするために、「保存設定」オプション（プリセット・メニュー62に78で示されている）を選択してもよい。次に、ユーザは、ユーザ定義の設定をユーザ1コンフィギュレーション、ユーザ2コンフィギュレーション、またはユーザ3コンフィギュレーションでそれぞれ保存するために、ユーザ1（82で）として保存するか、ユーザ2（84で）を保存するか、あるいはユーザ3（86で）を保存するかを選択することが可能である。
【００５４】
一旦プリセット・コンフィギュレーションが定義されれば、図３に示されるように、ユーザは、メニューを通じてコンフィギュレーションにアクセスすることが可能である。これに代えて、上述したように、ユーザは、プリセット・キー18を介してプリセット・コンフィギュレーションに直接アクセスすることが可能である。このプリセット・コンフィギュレーションへの直接アクセスは、メニューがユーザに見られるために投影装置によって投影されなければならない状況において、特に望ましいことがある。
【００５５】
本発明の１つの実施の形態にかかる方法は、概して100で示されている。その方法は、ステップ102で、第１の種類の投影映像のための複数のプリセットされた投影装置設定を有する第１のコンフィギュレーションを提供することを含んでいる。ステップ104では、その方法は、第２の種類の投影映像のための複数のプリセットされた投影装置設定を有する第２のコンフィギュレーションを提供することを含んでいる。ステップ106で、その方法は、第１のコンフィギュレーションおよび第２のコンフィギュレーションのうちの１つを選択し、その選択を受信することを含んでいる。その方法は、ステップ108で、第１のコンフィギュレーションおよび第２のコンフィギュレーションのうちの１つの選択に応じて、対応する複数のプリセットされた投影装置設定を自動的に調整することをさらに含むことが可能である。
【００５６】
上述の開示は、独立した有用性を備えた複数の別個の発明を包含している。これらの発明の各々はその好ましい形態で開示されたが、ここで開示および例示されたその特定の実施の形態は、多くの変化が可能であることから、限定的な意味で考慮されるものではない。本発明の主題は、ここで開示された様々な要素、特徴、機能、および／またはプロパティの新規および非自明なコンビネーションおよびサブコンビネーションをすべて含んでいる。
【００５７】
請求項は、新規および非自明であると見なされ、また、本発明のうちの１つに指向する、あるコンビネーションおよびサブコンビネーションを特に指し示している。これらの請求項は、「１つの」要素、あるいは「最初の」要素、あるいはその均等物を参照することが可能であり、そのような請求項は、一または複数のそのような要素の援用を、複数のそのような要素を要求することも除外することもなく、含むと理解されるべきである。特徴、機能、要素、および／またはプロパティの他のコンビネーションおよびサブコンビネーションにおいて具体化される発明は、現在の請求項の補正あるいは、この出願または関連する出願中の新しい請求項の提示を通じて請求されることが可能である。そのような請求項は、異なる発明あるいは同一の発明に指向されたとしても、また、元の請求項の範囲に対してより広く、より狭く、同等に、あるいは異なっても、本開示の発明の主題内に含まれていると見なされる。
【図面の簡単な説明】
【００５８】
【図１】本発明の実施の形態にかかる様々なユーザ入力を備えた投影装置を図示している。
【図２】図１に示された投影装置用の典型的なユーザ入力の拡大図である。
【図３】図１に示された投影装置での使用に適した典型的なメニュー・システムを図示している。
【図４】本発明の実施の形態にかかる投影映像の外観を最適化する方法のフローチャートである。
【符号の説明】
【００５９】
10  投影装置
11  プロセッサ
12  ユーザ入力
13  メモリ
14  ユーザ入力レイアウト
20  オート・イメージ
22  キーストーン
26  メニュー
32  選択
34  音量
38  ビデオ
40  コンピュータ
44  映像
62  プリセット
80  設定を保存
【図１】
2007516645.tif 000003
【図２】
2007516645.tif 000004
【図３】
2007516645.tif 000005
【図４】
2007516645.tif 000006
【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
１つの種類の投影映像の外観を最適化する方法であって、
第１の種類の投影映像および第２の種類の投影映像を投影するように構成されたデジタル投影装置を提供すること、
前記第１の種類の投影映像のための複数のプリセットされた投影装置設定を有する第１のコンフィギュレーションを提供すること、
前記第２の種類の投影映像のための複数のプリセットされた投影装置設定を有する第２のコンフィギュレーションを提供すること、
前記第１のコンフィギュレーションおよび前記第２のコンフィギュレーションのうちの１つのユーザ選択を受信すること、
前記第１のコンフィギュレーションおよび前記第２のコンフィギュレーションのうちの１つの選択に応じて、対応する前記複数のプリセットされた投影装置設定を自動的に調整し、それによって、前記投影映像の外観を調整すること
を含む方法。
【請求項２】
前記第１のコンフィギュレーションおよび前記第２のコンフィギュレーションの少なくとも１つは、製造業者に定義されたコンフィギュレーションである請求項１記載の方法。
【請求項３】
前記製造業者に定義されたコンフィギュレーションは、プレゼンテーション・コンフィギュレーション、写真コンフィギュレーション、フィルム・コンフィギュレーション、およびビデオ・コンフィギュレーションのうちの１つである請求項２記載の方法。
【請求項４】
前記第１のコンフィギュレーションおよび前記第２のコンフィギュレーションの少なくとも１つは、ユーザ定義のコンフィギュレーションである請求項１記載の方法。
【請求項５】
前記ユーザ定義のコンフィギュレーションは、ユーザに調整された少なくとも１つの投影装置設定を含んでいる請求項４記載の方法。
【請求項６】
前記第２のコンフィギュレーションを提供することは、少なくとも１つの投影装置設定の選択を受信し、該少なくとも１つの投影装置設定の選択を第２のコンフィギュレーションとして保存することを含んでいる請求項１記載の方法。
【請求項７】
前記プリセットされた設定の各々がデフォルト設定である場合には、前記第１のコンフ
ィギュレーションおよび前記第２のコンフィギュレーションの少なくとも１つは、デフォルト・コンフィギュレーションである請求項１記載の方法。
【請求項８】
第１および第２の種類の投影映像を表示するように構成された投影装置であって、
第１の種類の投影映像のための複数のプリセットされた投影装置設定を有し、メモリに記憶された第１のユーザ選択可能なコンフィギュレーションと、
第２の種類の投影映像のための複数のプリセットされた投影装置設定を有し、メモリに記憶された第２のユーザ選択可能なコンフィギュレーションと、
前記メモリに接続され、前記第１のコンフィギュレーションおよび前記第２のコンフィギュレーションのうちの１つの選択に応じて、対応する前記複数のプリセットされた投影装置設定を自動的に調整するように構成されたプロセッサと
を備える投影装置。
【請求項９】
前記第１のコンフィギュレーションおよび前記第２のコンフィギュレーションの少なくとも１つは、製造業者に定義されたコンフィギュレーションである請求項８記載の投影装置。
【請求項１０】
前記製造業者に定義されたコンフィギュレーションは、プレゼンテーション用に最適化された設定を備えたプレゼンテーション・コンフィギュレーション、写真用に最適化された設定を備えた写真コンフィギュレーション、フィルム用に最適化された設定を備えたフィルム・コンフィギュレーション、およびビデオ用に最適化された設定を備えたビデオコンフィギュレーションのうちの１つである請求項９記載の投影装置。
【請求項１１】
前記第１のコンフィギュレーションおよび前記第２のコンフィギュレーションの少なくとも１つは、ユーザ定義のコンフィギュレーションである請求項８記載の投影装置。
【請求項１２】
前記第１のユーザ選択可能なコンフィギュレーションおよび前記第２のユーザ選択可能なコンフィギュレーションの少なくとも１つは、ユーザによって調整された少なくとも１つの設定を含んでいる請求項８記載の投影装置。
【請求項１３】
複数の映像の種類を表示するように構成された投影装置上の複数の調整可能な特徴のための設定を同時に調整する方法であって、
複数の調整可能な設定を提示すること、
第１のコンフィギュレーションを生成するために前記調整可能な設定の一又は複数を調整すること、
第１の種類の投影映像に前記第１のコンフィギュレーションを関連付けること、
ユーザ入力の受信に際して前記調整可能な設定が前記第１のコンフィギュレーションに従って調整されるように、前記第１のコンフィギュレーションを保存すること
を含む方法。
【請求項１４】
前記第１のコンフィギュレーションから設定のいくつかあるいはすべてを変更することによって、第２のコンフィギュレーションを生成することをさらに含む請求項１３記載の方法。
【請求項１５】
前記第２のコンフィギュレーションを保存するステップをさらに含み、その結果、前記ユーザ入力の繰り返しの実行が、前記第１のコンフィギュレーションと第２のコンフィギュレーションとの間で、前記調整可能な特徴を切り換えさせる請求項１４記載の方法。
【請求項１６】
前記調整可能な設定は、メニューを介して提示される請求項１３記載の方法。
【請求項１７】
複数の種類の映像を表示するように構成された投影装置であって、
複数の調整可能な設定と、
該調整可能な設定の一又は複数の値を変更する手段と、
前記調整可能な設定に対する一又は複数の変更された値を投影映像の種類に関連する第１のコンフィギュレーションとして保存する手段と、
前記第１のコンフィギュレーションを採用するために調整可能な特徴の設定を同時に変更する手段と
を備える投影装置。
【請求項１８】
前記調整可能な特徴の一又は複数の設定を前記第１のコンフィギュレーションから第２のコンフィギュレーションへ変更する手段をさらに含む請求項１７記載の投影装置。
【請求項１９】
複数の種類の映像を表示するように構成された投影装置用のカスタマイズされた設定にアクセスする方法であって、
複数の第１の投影装置設定を選択すること、
該複数の設定を投影映像の種類のための第１のコンフィギュレーションとして保存すること、
ユーザ入力の受信に際して前記第１のコンフィギュレーションへアクセスすること
を含む方法。
【請求項２０】
複数の第２の投影装置設定を選択すること、
該複数の設定を第２のコンフィギュレーションとして保存すること、
ユーザ入力の受信に際して前記第２のコンフィギュレーションへアクセスすること
をさらに含む請求項１９記載の方法。
【請求項２１】
前記ユーザ入力は、ボタンである請求項１９記載の方法。
【請求項２２】
１つの種類の投影映像の外観を最適化する方法を行なう機械によって実行可能な指示のプログラムを明確に具体化し、前記機械によって判読可能なプログラム格納装置であって、前記方法は、
第１の種類の投影映像および第２の種類の投影映像を投影するように構成されたデジタル投影装置を提供すること、
前記第１の種類の投影映像のための複数のプリセットされた投影装置設定を有する第１のコンフィギュレーションを提供すること、
前記第２の種類の投影映像のための複数のプリセットされた投影装置設定を有する第２のコンフィギュレーションを提供すること、
前記第１のコンフィギュレーションおよび前記第２のコンフィギュレーションのうちの１つのユーザ選択を受信すること、
前記第１のコンフィギュレーションおよび前記第２のコンフィギュレーションのうちの１つの選択に応じて、対応する前記複数のプリセットされた投影装置設定を自動的に調整し、それによって、前記投影映像の外観を調整すること
を含むプログラム格納装置。
【請求項２３】
前記第１のコンフィギュレーションおよび前記第２のコンフィギュレーションのうちの１つのユーザ選択を受信することは、前記投影装置に配置されたユーザ入力デバイスを使用して前記第１のコンフィギュレーションおよび前記第２のコンフィギュレーションを選択することを含んでいる請求項１記載の方法。
【請求項２４】
前記ユーザ選択可能なコンフィギュレーションは、投影装置に配置される請求項８記載の投影装置。
【国際調査報告】
2007516645.tif 000007